(57)【要約】【課題】既存コンクリート面へ付加物を固定する際に壁面の損傷がほとんどなく回復も容易で、かつ取り付けが確実なコンクリート面への線条取り付け構造を提する。【解決手段】コンクリート打設時に型枠間隔を維持するために用いられ、打設コンクリート中に残置され埋め殺しとなっているセパレータボルト６をアンカーとし、これに取り付けた支持体２６又は支持バー１５，１６を利用してワイヤ４、線材、紐等の線条をコンクリート面に取り付ける。【選択図】      図９
2005016027.tif 000002
【特許請求の範囲】
【請求項１】
コンクリート打設時に型枠間隔を維持するために用いられ、打設コンクリート中に残置され埋め殺しとなっているセパレータボルトをアンカーとし、これに取り付けた支持体を利用してワイヤ、線材、紐等の線条をコンクリート面に取り付けてあることを特徴としたコンクリート面への線条取り付け構造。
【請求項２】
線条は、コンクリート面と間隔を取って設定した面範囲に複数本を配置し、各線条の両端を支持体に固定してあることを特徴とした請求項１に記載のコンクリート面への線条取り付け構造。
【請求項３】
支持体は、線条の端部を固定する固定用と線条の屈曲を案内し支持する案内用支持体を備え、コンクリート面と間隔を取って設定した面範囲に線条が屈曲して配置されていることを特徴とする請求項１又は２に記載のコンクリート面への線条取り付け構造。
【請求項４】
線条は、コンクリート面と間隔をとって設定した面範囲に複数本を交差させて配置し、交差方向の一方の方向の各線条だけその両端を支持体に固定してあることを特徴とした請求項１に記載のコンクリート面への線条取り付け構造。
【請求項５】
コンクリート打設時に型枠間隔を維持するために用いられ、打設コンクリート中に残置され埋め殺しとなっているセパレータボルトをアンカーとして複数の支持バーをコンクリート面に固定し、支持バー間にワイヤ、線材、紐等の線条を張設してあることを特徴としたコンクリート面への線条取り付け構造。
【請求項６】
請求項１〜５に記載のコンクリート面に線条を取り付けた構造であって、線条に植物を担持させてあることを特徴とした緑化コンクリート壁。
【請求項７】
コンクリート打設時に型枠間隔を維持するために用いられ、打設コンクリート中に残置され埋め殺しとなっているセパレータボルトの端部をはつり出す第１の工程、はつり出した端部に支持体又は支持バーを固定する第２の工程及び支持体又は支持バーを利用して、ワイヤ、線材、紐などの線条をコンクリート面に取り付ける第３の工程を有していることを特徴としたコンクリート面に線条を取り付ける施工方法。
【発明の詳細な説明】
【０００１】
【発明の属する技術分野】
この発明は、コンクリートの面に線条を取り付けた構造とその施工方法に関する。
【０００２】
【従来の技術】
コンクリートの壁面に看板のようなパネルやオブジェを固定したり、垂れ幕をガイドするワイヤを張設したり、あるいはいわゆる壁面緑化のために線条（ワイヤ、線材あるいは紐など）を設定した面範囲に張設することがある。
一般に、既存のコンクリート面へ付加的な何らかの物を確実に取り付けるには、従来コンクリート面へアンカーを打ち込んで固定するのが一般的であった。
【０００３】
しかし、この方法ではアンカーの強度を確保するためにかなり大きなアンカーを打ち込んだり、本数を多く打ち込む必要がある。そして、アンカーの打ち込みにはコンクリート面の破壊を伴うので、その修復に手間と費用を要している。
この修復はコンクリート面から付加物を除去した後にも必要となることがある。特に、都市温暖化の抑制と環境改善策として推奨される壁面の緑化では、壁面に緑化植物を担持させるワイヤや網などを張設するために多くのアンカーを打ち込む必要があるが、事情が生じてこれらワイヤや網などを撤去する必要が生じたとき壁面の回復に多くの費用と手間を要する。
【０００４】
【発明が解決しようとする課題】
この発明は、型枠を使用して構築されたコンクリート面に限られるが、既存コンクリート面へ付加物を固定する際に壁面の損傷がほとんどなく回復も容易で、かつ取り付けが確実なコンクリート面への線条取り付け構造を提供する。
【０００５】
【課題を解決するための手段】
コンクリート打設時に型枠間隔を維持するために用いられ、打設コンクリート中に残置され埋め殺しとなっているセパレータボルトを利用する。このセパレータボルトの端部をはつり出し、そのままアンカーとして利用する。
アンカーにはコンクリート面から突出するように支持体あるいは支持バーを固定し、これを利用してワイヤ、線材、紐等の線条をコンクリート面に取り付ける。
コンクリート面は、建物、構築物の壁面や塀のように垂直な場合と法面のように角度を持った面のことがある。
【０００６】
セパレータボルト端部のはつり出しは、多くの場合、型枠組み付け時にセパレータボルトの両端部に嵌合して用いる円柱あるいは截頭円錐形をした受け具（Ｐコンと呼ばれている）の抜き後に充填したモルタルをはつり出すだけであるから、既存コンクリート面を大きく破損することはない。すなわち、このモルタルは打設コンクリートと品質上の特性が異なるので、Ｐコン抜き後からモルタルだけを容易にはつり出すことができる。
【０００７】
モルタルのはつり出しによって、セパレータボルトの両端ねじ部が露出する。セパレータボルト自体は既存コンクリート中に埋設されて確実に固定されており、揺るぐことはない。このため、アンカーとして利用する本数は、通常の打ち込みアンカーの場合よりも少なくなる。
なお、このねじ部は型枠組み付け時に前記のＰコンをねじ込むと共にＰコンが備えたねじへさらに型枠締め付けボルトを結合し、対向して配置した型枠を締め上げるために使用されたものである。
【０００８】
セパレータボルトの露出させたねじ部を利用して線条を取り付けるための支持体あるいは支持バーを取り付ける。すなわち、セパレータボルトをそのままアンカーボルトに利用する。この取り付けは露出させたねじ部へ部材をねじ込んで固定することが多い。このため、ねじの螺合をスムーズにするため、露出させたねじ部へダイスを通してねじ面をきれいにしておくことがある。
線条は、ワイヤ、線材、紐など細く屈曲ができる長い部材の総称として用い、テープ状のものを包含する。
【０００９】
支持体は独立して線条を支持するもので、線条の端部を固定する固定用支持体と線条の屈曲を案内し支持する案内用支持体とがあり、使い分ける。
支持バーは、鋼材のフラットバーやアングルバーとすることが多いが、丈夫な合成樹脂などであっても良い。支持バーは両端など要点を前記のセパレータボルト、すなわち、アンカーに固定する。支持バーに線条を屈曲させる突起などを設けることなどにより、アンカーと結合させる個所を少なくすることができる。このため、はつり等、施工の手間が少なくなる。
【００１０】
【発明の実施の形態】
壁面の緑化に用いた場合を説明する。
図１は大きな倉庫１の壁面を示し、壁２の面に緑化植物３を担持させるためのワイヤ４が張設されている。緑化工事は倉庫の建築後、既存の壁２に対して行われた。これにより、大きな倉庫１の壁２による殺風景で阻害感のある環境が改善され、また、緑化植物の蒸散作用で都市の温暖化が緩和される。
【００１１】
前記の壁２は、型枠を組み付けて構築したもので、図２のように、両側に対向させて配置した合板５（コンパネと呼ばれる）の間にセパレータボルト６を介在させ、外の両側から端太（ばた）材７と呼ばれる鋼管を縦・横に当て付けてから前記のセパレータボルト６の両端に型枠締め付けボルト８を連結し、これらを両側から締め付けることで、型枠の間隔を規定し、また、コンクリート９の打設時に組み付けた型枠が破裂しないように維持している。
【００１２】
セパレータボルト６と型枠締め付けボルト８との結合は、セパレータボルト６両端のねじ部１０（図４）に、まずＰコン１１（図３、図４）を取り付け、その外側に向き合板５を貫通させた雄ねじ部１２に型枠締め付けボルト８の雌ねじを螺合して結合する。Ｐコン１１は合板５の内側に位置し、締め付けによる合板５からの圧力をセパレータボルト６に伝達する。なお、Ｐコン１１には円板形、円柱形、截頭円錐形等さまざまな形態があるが、いずれも、締め付け圧を受け取るために合板５の内側に位置する。
セパレータボルト６はコンパネの場合、通常上下左右６０ｃｍの間隔で配置する。
【００１３】
コンクリート９が硬化すると型枠が取り払われる。型枠締め付けボルト８が外され、端太材７の除去された状態が図３であり、さらに、合板５とＰコン１１が除去された状態が図４である。Ｐコン１１が除去されるとコンクリート９の面にその分の凹陥部１３が生じる。そして、その底部中央部には、セパレータボルト６のねじ部１０が露出している。
凹陥部１３は目立つし、ここから雨水が浸透してセパレータボルト６を腐食させたり、次の仕上げ施工に支障があったりするので、通常、モルタル１４を充填して閉鎖している。すなわち、セパレータボルト６はコンクリート９中に残置され、完全に埋め殺された状態となっている。
【００１４】
さて、このような既存の壁面にワイヤ４（線条の一つ）を張設するとき、まず、図６のように、セパレータボルト６が埋め殺されている位置を確認する。設計図から割り出すこともできるが、凹陥部１３に充填したモルタル１４は通常、周囲のコンクリート９とは品質が異なるので、現場において色違いや質感で判別することができる。
図６は、支持バー１５，１６（図１０）を用いてワイヤ４を張設する構造である。そのため、壁面の上下個所で同じ列の３ヶ所ずつの凹陥部１３を選定する。
【００１５】
選定した凹陥部１３から、モルタル１４をはつり出し、セパレータボルト６の一端部であるねじ部１０を露出させる（図７）。この際、セパレータボルト６にガタがあるようなときは市販の充てん剤を用いて固定しておく。露出させたねじ部１０へ、念のためにダイスを通してねじ部１０の谷部に付着しているモルタルを除去する。
転換ナット１７を準備してそのセパレータボルト側を露出したねじ部１０へねじ込み固定する（図８）。転換ナット１７へ支持バー１５の台座ナット１８の雄ねじ部をねじ込み壁面に台座ナット１８を固定する。凹陥部１３は台座ナット１８のフランジ部で閉鎖される。
上下３箇所ずつの凹陥部１３において同様に台座ナット１８を固定できたら、これらを利用して上下の支持バー１５，１６を取り付けボルト１９で固定する（図９）。支持バー１５，１６は、植生の特徴を考えて壁面と間隔を取って配置する。
通常、約８ｃｍの間隔である。
【００１６】
これで上下に支持バー１５，１６を固定できたので、支持バー１５，１６のそれぞれにワイヤ始端・中間用係合部材２０とワイヤ終端用係合部材２１を、取り付けボルト２２，２３で固定する（図１１Ａ，Ｂ）。符号２４は引き締め用の一種のターンバックルである。ワイヤ始端・中間用係合部材２０は、一種のアイボルトであり、ワイヤ終端用係合部材２１はＬ形に屈曲したステーの形態でターンバックルのフックを掛ける凹部を設けてある。
【００１７】
図１０でいうと、（ｓ）の位置にワイヤ始端・中間用係合部材２０が用いられ、（ｆ）の位置にワイヤ終端用係合部材２１が固定されている。他の中間個所はすべてワイヤ始端・中間用係合部材２０である。ワイヤ４は１本であり、中間のワイヤ始端・中間用係合部材２０を２個ずつ使って折り返し、平行配置となるように張設されている。
この張設によって上下の支持バー１５，１６にはかなりの荷重となるが、それぞれ３箇所をセパレータボルト６に結合しているので、充分に耐えることができる。
【００１８】
このように構成した緑化のための構造を撤去するときは、ワイヤ４を除去した後、上下の支持バー１５，１６を取り外すと共に、台座ナット１８、転換ナット１７を除去し、露出した凹陥部１３にモルタルを充填するか、樹脂などのキャップをたたき込むことで、簡単に従前の状態に戻すことができる。
なお、図示の実施形態では、ワイヤ始端・中間用係合部材２０とワイヤ終端用係合部材２１を構造の違うものとしたが、中間個所を含めすべての係合部材をアイボルト形のワイヤ始端・中間用係合部材２０としても良い。
【００１９】
図１２は、第２の実施形態で、前記の第１実施形態に対して、支持バー１５，１６を左右に配置してワイヤ４を横方向に張設している。ワイヤ４は２本に分割してある。壁面が広く張設面積が大きくなる場合は、ワイヤ４を引き回す都合を考慮してワイヤ４を複数本とするのが好ましい。
【００２０】
図１３は、第３の実施形態であり、支持バー１５，１６ではなく、独立した支持体２６でワイヤ４を支持する。また、２本のワイヤ４を対角線方向に張設して相互に交差させている。
独立した支持体２６は、例えば図１４〜図１７に示すようにアイボルト形支持体２７、１ローラー形支持体２８，２ローラー形支持体２９あるいは掛け駒形支持体３０等がある。
【００２１】
アイボルト形支持体２７は、基端部に大きめのフランジ３１を備えた長めの台座ナット３２にアイボルト３３を固定したものであり、ワイヤ４の始端、中間、終端位置での支持に利用することができる。中間個所では、図ロのように、２個を用いてワイヤ４を９０°ずつの屈曲で無理なくＵターンさせることができる。
【００２２】
図１５の１ローラー形支持体２８は、長めの台座ナット３２に縦軸で回動するローラー３４を取り付けたもので、図ロのように、ローラー３４にワイヤ４を巻回させてワイヤの張設方向を変更する。中間個所にのみ利用が可能である。熱によるワイヤ４の伸縮や風にあおられることによるワイヤ４の移動をソフトにガイドすることができ、張設が長期にわたってもワイヤ４を傷めることが少ない。
【００２３】
図１６の２ローラー形支持体２９は、長めの台座ナット３２に縦軸で回動するローラー３４を取り付けたもので、図ロのように、１点に集中してくる２本のワイヤ４を交差させることなく、屈曲させて振り分けることができる。前記のように、ローラーを用いることによりワイヤ４の移動をソフトにガイドすることができると共に、ワイヤ４を張設するデザインに多様性をもたせることができる。
【００２４】
図１７の掛け駒形支持体３０は、長めの台座ナット３２に掛け駒３５を固定したものであり、ワイヤ４の始端を固定するのにのみ用いる。掛け駒３５は中空な四角形箱状の側面に切割孔３６を形成したものであり、ワイヤ４の始端に径が大きな端子３７を固定しておいて、これを前記のＴ字状の切割孔３６の個所から内部へ嵌め込んで使用する。ワイヤ４を導き出せる方向が４方向になり、希望する姿勢（例えばワイヤ４を張設する壁面に垂直）に支持体３０を配置できない場合に便利である。
【００２５】
図１８の支持体２６は終端用であって、前記と同様に長めの台座ナット３２の先端に巻上げ装置３８を壁面に対して前後方向へ回動可能に備えている。壁２の凹陥部１３は円柱状である。巻上げ装置３８は前後に回動するので、掛け回したワイヤ４の終端がどの方向を向いていても巻上げ装置３８へ装填しやすく、また、操作部が側面にあることから壁に向かっている操作者にとり引き締め操作をおこないやすい。図１９は、これをワイヤ終端用係合部材２１として構成したものである。符号１５は上方の支持バー、符号２２は取り付けボルトである。
図２０は、台座ナット３２の部分を変えたもので、壁面との間隔を確保するために簡単な台座３９をボルト４０で壁面に固定し、その頂面に巻上げ装置３８を取りつけてある。
【００２６】
線条の例としてワイヤ４を取り上げ説明したが、他の線条の場合もほぼ同様である。
さらに述べるなら、この発明は、高所に吊るす掲示板などの揺れ止めのために張設するワイヤの一端を壁面へ固定する場合や、予め編成されている網などを壁面へ張設する場合などにも適用できる。
【００２７】
【発明の効果】
既存のコンクリート壁に残置され埋め殺しとなっているスペーサーボルトをアンカーとして利用するので、壁面を損傷する程度が小さく、また、復旧が簡単である。
コンクリート中に埋め殺されているスペーサーボルトのアンカー効果は強力であり、コンクリート壁面に対してワイヤなどの線条を強固に取り付けることができる。
固定個所を減らしても充分に固定することができるので、短期間で施工することができ、費用も低減する。
既存のコンクリート壁に特に有利な構造及び施工法であるところから、壁面の緑化を安価に提供することができる。
【図面の簡単な説明】
【図１】緑化壁面の一例を示す斜視図
【図２】コンクリート壁の構築を示す断面図１
【図３】コンクリート壁の構築を示す断面図２
【図４】コンクリート壁の構築を示す断面図３
【図５】コンクリート壁の構築を示す断面図４
【図６】既存壁の一部を示す正面図（各部を強調し、また、透視的に記載してある）
【図７】セパレータボルトをアンカーとして利用する手順を示す断面図１
【図８】セパレータボルトをアンカーとして利用する手順を示す断面図２
【図９】セパレータボルトをアンカーとして利用する手順を示す断面図３
【図１０】ワイヤを張設した状態を示す模式的な正面図１
【図１１】Ａ  ワイヤ始端・中間用係合部材の側面図（一部断面、透視的に記載）
Ｂ  ワイヤ終端用係合部材の側面図（一部断面、透視的に記載）
【図１２】ワイヤを張設した状態を示す模式的な正面図２
【図１３】ワイヤを張設した状態を示す模式的な正面図３
【図１４】イ  支持体の側面図（一部断面、透視的に記載）  ロ  使用法を示す簡略図
【図１５】イ  支持体の側面図（一部断面、透視的に記載）  ロ  使用法を示す簡略図
【図１６】イ  支持体の側面図（一部断面、透視的に記載）  ロ  使用法を示す簡略図
【図１７】イ  支持体の側面図（一部断面、透視的に記載）  ロ  使用法を示す簡略図
【図１８】支持体の側面図（一部断面、透視的に記載）
【図１９】ワイヤ終端用係合部材の側面図（一部断面、透視的に記載）
【図２０】支持体の側面図（一部断面、透視的に記載）
【符号の説明】
１  倉庫
２  壁
３  緑化植物
４  ワイヤ
５  合板
６  セパレータボルト
７  端太材
８  型枠締め付けボルト
９  コンクリート
１０  セパレータボルトのねじ部
１１  Ｐコン
１２  雄ねじ部
１３  凹陥部
１４  モルタル
１５  支持バー（上方）
１６  支持バー（下方）
１７  転換ナット
１８  台座ナット
１９  取り付けボルト
２０  ワイヤ始端・中間用係合部材
２１  ワイヤ終端用係合部材
２２  取り付けボルト
２３  取り付けボルト
２４  ターンバックル
２５  止め部材
２６  支持体
２７  アイボルト形支持体
２８  １ローラー形支持体
２９  ２ローラー形支持体
３０  掛け駒形支持体
３１  フランジ
３２  台座ナット
３３  アイボルト
３４  ローラー
３５  掛け駒
３６  切割孔
３７  端子
３８  巻上げ装置
３９  台座
４０  ボルト
【図１】
2005016027.tif 000003
【図２】
2005016027.tif 000004
【図３】
2005016027.tif 000005
【図４】
2005016027.tif 000006
【図５】
2005016027.tif 000007
【図６】
2005016027.tif 000008
【図７】
2005016027.tif 000009
【図８】
2005016027.tif 000010
【図９】
2005016027.tif 000011
【図１０】
2005016027.tif 000012
【図１１】
2005016027.tif 000013
【図１２】
2005016027.tif 000014
【図１３】
2005016027.tif 000015
【図１４】
2005016027.tif 000016
【図１５】
2005016027.tif 000017
【図１６】
2005016027.tif 000018
【図１７】
2005016027.tif 000019
【図１８】
2005016027.tif 000020
【図１９】
2005016027.tif 000021
【図２０】
2005016027.tif 000022